(57)【要約】【課題】スパイラル線を用いず低風音、難着雪の機能を有する低風音型難着雪電線を構成する。【解決手段】外周面３に突出し外周面に沿って延設される延設突起ＳＡ（ＳＢ）が形成された低風音型難着雪電線１Ａにおいて、延設突起は、最外層２の複数の素線２１，２２・・・のそれぞれに形成された突起部２１Ａ，２２Ａ・・・が、当該延設突起の延設方向２Ａに連続することにより構成されている。【選択図】図１
2016213037.tif 000002
【特許請求の範囲】
【請求項１】
外周面に突出し外周面に沿って延設される延設突起が形成された低風音型難着雪電線であって、
前記延設突起は、最外層の複数の素線のそれぞれに形成された突起部が、当該延設突起の延設方向に連続することにより構成されていることを特徴とする低風音型難着雪電線。
【請求項２】
前記延設突起はスパイラル状に１本又は２本以上形成されている請求項１に記載の低風音型難着雪電線。
【請求項３】
前記延設突起の撚り方向は、最外層の素線の撚り方向と逆方向である請求項２に記載の低風音型難着雪電線。
【請求項４】
前記延設突起の撚り方向は、最外層の素線の撚り方向と同方向である請求項２に記載の低風音型難着雪電線。
【請求項５】
前記延設突起の高さが２．０ｍｍ以上である請求項１から請求項４のうちいずれか一に記載の低風音型難着雪電線。
【発明の詳細な説明】
【技術分野】
【０００１】
本発明は、外周面に設けられた突起により低風音、難着雪の機能を有する低風音型難着雪電線に関する。
【背景技術】
【０００２】
高い鉄塔間に架設される裸電線または被覆線の架空電線は、強風を受けると特有な風音が発生することが知られており、この種の風音は人々にとって好ましく感じない音である。特に、架空電線が近くに架設されている地域ではその騒音苦情が発生することが多い。
また、架空電線に雪が大量に付着すると断線や鉄塔倒壊などの重大事故を引き起こすことがあるため、雪害対策が重要となる。
【０００３】
従来、風音対策として電線の外周面にスパイラル状の突起を設けることが行われている。
特許文献１に記載の電線にあっては、最外層の一部の素線を同層の他の素線より撚線導体直径方向のサイズを大きくして外周面にスパイラル状の突起を形成している。
特許文献２に記載の電線にあっては、外周面にスパイラル線を撚り合わせて形成される。詳しくは特許文献２には、複数本の素線を撚り合わせた撚線から構成される架空電線の外周に、アルミニウム被覆鋼線からなるスパイラル線を、架空電線の撚線の撚り方向とは反対方向でかつ架空電線の撚線の撚りピッチよりも短い撚りピッチ条件で１本または２本により撚り合わせて形成したスパイラル線付き架空電線が記載される。
【先行技術文献】
【特許文献】
【０００４】
【特許文献１】特開平０５−０４１１１２号公報
【特許文献２】特開２００６−２１０１７９号公報
【発明の概要】
【発明が解決しようとする課題】
【０００５】
ところで、架空電線への着雪は、最外層の素線の撚り方向に沿って発達する。
特許文献１に記載の電線にあっては、最外層の一部の素線が同層の他の素線より径方向に突出してスパイラル状の突起を形成するため、このスパイラル状の突起は、前記一部の素線（突起部を除く）と一律平行であって最外層の素線の撚り方向と同方向の同ピッチであり、最外層の素線と交差することがない。
したがって、スパイラル状の突起の電線外周面に沿って延びる延設方向が着雪の発達する方向と平行であるために、着雪しやすい構造であり、雪害事故につながるおそれがある。
特許文献２に記載の電線にあっては、スパイラル線は、その撚り方向が最外層の素線の撚り方向の反対方向とされるために、最外層の素線と交差するが、外周面にスパイラル線を撚り合わせて形成されるために、雷撃、ギャロッピングなどによる溶断が発生した場合、スパイラル線が電線より垂れ下がり、短絡事故につながるおそれがある。
【０００６】
本発明は以上の従来技術における問題に鑑みてなされたものであって、スパイラル線を用いず低風音、難着雪の機能を有する低風音型難着雪電線を構成することを課題とする。
【課題を解決するための手段】
【０００７】
以上の課題を解決するための請求項１記載の発明は、外周面に突出し外周面に沿って延設される延設突起が形成された低風音型難着雪電線であって、
前記延設突起は、最外層の複数の素線のそれぞれに形成された突起部が、当該延設突起の延設方向に連続することにより構成されていることを特徴とする低風音型難着雪電線である。
【０００８】
請求項２記載の発明は、前記延設突起はスパイラル状に１本又は２本以上形成されている請求項１に記載の低風音型難着雪電線である。
【０００９】
請求項３記載の発明は、前記延設突起の撚り方向は、最外層の素線の撚り方向と逆方向である請求項２に記載の低風音型難着雪電線である。
【００１０】
請求項４記載の発明は、前記延設突起の撚り方向は、最外層の素線の撚り方向と同方向である請求項２に記載の低風音型難着雪電線である。
【００１１】
請求項５記載の発明は、前記延設突起の高さが２．０ｍｍ以上である請求項１から請求項４のうちいずれか一に記載の低風音型難着雪電線である。
【発明の効果】
【００１２】
本発明によれば、電線の外周面に突出し外周面に沿って延設される延設突起は、最外層の複数の素線のそれぞれに形成された突起部が、当該延設突起の延設方向に連続することで構成されるので、最外層の素線（延設突起を除く）と交差するように形成される。
したがって、延設突起の延設方向が着雪の発達する方向に交差するから、発達する着雪が延設突起にあたり電線から脱落する難着雪の機能を獲得することができ、雪害事故を防止できる。
また、延設突起は最外層の複数の素線のそれぞれに形成された突起部の連続により構成されるので、最外層の素線と一律平行な方向を除き、連続する方向を任意に設計することができ、スパイラル状はもちろん、低風音性が追求された任意の形状を構成することができる。
さらに、延設突起は最外層の素線のそれぞれに形成された突起部により構成されるので、最外周のいずれかの素線と一体化されているために、雷撃、ギャロッピングなどによる溶断が発生した場合、スパイラル線のような垂れ下がりは発生せず、短絡事故を防止できる。
以上のように本発明によれば、スパイラル線を用いず低風音、難着雪の機能を有する低風音型難着雪電線を構成することができる。
【図面の簡単な説明】
【００１３】
【図１】本発明の第１実施形態に係る低風音型難着雪電線の側面図(a)、Ａ−Ａ断面図(b)及びＢ−Ｂ断面図(c)である。
【図２】本発明の第２実施形態に係る低風音型難着雪電線の側面図(a)、Ｃ−Ｃ断面図(b)及びＤ−Ｄ断面図(c)である。
【図３】突起数を０〜２本と変えた電線につき、風速１５ｍ／ｓの環境下で測定した騒音レベルを周波数ごとに示すグラフである。
【発明を実施するための形態】
【００１４】
以下に本発明の一実施形態につき図面を参照して説明する。以下は本発明の一実施形態であって本発明を限定するものではない。
【００１５】
〔第１実施形態〕
本発明の第１実施形態に係る低風音型難着雪電線につき説明する
図１に示すように本実施形態の低風音型難着雪電線１Ａは、所定のピッチで拠られた最外層２の素線２１，２２，２３・・・を有する。
素線２１の突起部２１Ａに、素線２１の隣の素線２２の突起部２２Ａが連続し、この突起部２２Ａに、素線２２の隣の素線２３の突起部２３Ａが連続し、さらに同様に突起部が連続することで、低風音型難着雪電線１Ａの外周面３に突出し外周面３に沿って延設される延設突起ＳＡが形成されたものである。
【００１６】
以上のように延設突起ＳＡは、最外層２の複数の素線２１，２２，２３・・・のそれぞれに形成された突起部２１Ａ，２２Ａ，２３Ａ・・・が、延設突起ＳＡの延設方向２Ａに連続することにより構成されたものである。延設突起ＳＡは、突起部２１Ａ，２２Ａ，２３Ａ・・・が延設方向２Ａに一列に連なって構成される。
延設突起ＳＡと同様に、他の１本の延設突起ＳＢは、最外層２の複数の素線３０，３１，３２・・・のそれぞれに形成された突起部３０Ｂ・・・が、延設突起ＳＢの延設方向２Ｂに連続することにより構成されている。延設突起ＳＢは、突起部３０Ｂ・・・が延設方向２Ｂに一列に連なって構成される。
【００１７】
図１に示すように延設突起ＳＡ，ＳＢは、スパイラル状に形成されたものである。スパイラル状の延設突起は１本としてもよいし２本以上としてもよい。
本実施形態では、２本のスパイラル状の延設突起ＳＡ，ＳＢが対角位置（周方向に沿って１８０度異なる位置）に形成されている。
本実施形態の低風音型難着雪電線１Ａにおいては、延設突起ＳＡ，ＳＢの撚り方向は、最外層２の素線の撚り方向２Ｚと逆方向である。
【００１８】
低風音型難着雪電線１Ａは、以下のようにして製造可能である。
最外層２の素線２１，２２，２３・・・としてアルミ線を撚線後、図１に示す延設突起ＳＡ，ＳＢを含む外径位置まで配置されたセグメント形状のアルミ線を有する電線をねじ切りダイスに通して加工する。これにより、延設突起ＳＡ，ＳＢ以外の延設突起ＳＡ，ＳＢと同外径位置にあるアルミ線素材を除去する削り出しにより延設突起ＳＡ，ＳＢを形成する。かかる加工方法によれば、延設突起ＳＡ，ＳＢのスパイラルのピッチを任意に選択することができる。
なお、ねじ切りダイスの代わりに押し出しダイスを用い、延設突起ＳＡ，ＳＢ以外の延設突起ＳＡ，ＳＢと同外径位置にあるアルミ線素材を圧縮することにより延設突起ＳＡ，ＳＢを形成することも可能である。
【００１９】
〔第２実施形態〕
本発明の第２実施形態に係る低風音型難着雪電線１Ｂにつき説明する。
図２に示すように本実施形態の低風音型難着雪電線１Ｂの上記第１実施形態と異なる点は、延設突起ＳＡ，ＳＢの撚り方向が最外層２の素線の撚り方向２Ｚと同方向とされている点であり、その他の構成、製造方法は上記第１実施形態と同様であり対応する部分に同一の符号を付す。
例えば、延設突起ＳＢは、最外層２の複数の素線３０，２９，２８・・・のそれぞれに形成された突起部３０Ｂ・・・が、延設突起ＳＢの延設方向２Ｂに連続することにより構成されたものである。延設突起ＳＡも同様に複数の突起部の連続により構成される。
したがって、自ずと延設突起ＳＡ，ＳＢのスパイラルのピッチは、最外層２の素線の撚りピッチとは異なるピッチである。本実施形態では、延設突起ＳＡ，ＳＢのスパイラルのピッチは、最外層２の素線の撚りピッチより短いピッチとされる。延設突起ＳＡ，ＳＢのスパイラルのピッチを最外層２の素線の撚りピッチより短いピッチとすることにより、低風音型難着雪電線１Ｂの単位軸方向長さあたりにおいて延設突起ＳＡ（ＳＢ）の交差する最外層２の素線（延設突起を除く）の数を多くすることができる。なお、延設突起ＳＡ，ＳＢのスパイラルのピッチを最外層２の素線の撚りピッチより長いピッチとしても、延設突起ＳＡ（ＳＢ）を最外層２の素線（延設突起を除く）に交差させることができる。
【００２０】
低風音型難着雪電線１Ａ，１Ｂを上述したように製造した後、架空電線として延線する。
架空電線への着雪は、最外層の素線の撚り方向２Ｚに沿って発達する。
以上の第１実施形態の低風音型難着雪電線１Ａ又は第２実施形態の低風音型難着雪電線１Ｂによれば、延設突起ＳＡ，ＳＢの延設方向２Ａ，２Ｂが着雪の発達する方向に交差するから、発達する着雪が延設突起ＳＡ，ＳＢにあたり電線から脱落し、難着雪の機能を獲得して雪害事故を防止できる。
【００２１】
（風音の測定）
図３に突起数を０〜２本と変えた電線につき、風速１５ｍ／ｓの環境下の騒音レベルを測定した結果を示す。突起数とは延設突起の本数を指す。延設突起の無い試料（図３中「突起数０」）と、延設突起が１本の試料（第１実施形態で延設突起ＳＡのみを外周面の突起とした構成に相当、図３中「突起数１」）と、延設突起が対角２本の試料（第１実施形態に相当、図３中「突起数２（対角）」）とを測定対象とした。図１に示す外径φを共通とする。
延設突起を有するものに関し、突起高さ（延設突起の外周面３からの突出高さ）は２ｍｍとし、延設突起の撚り方向は、最外層の素線の撚り方向と逆方向とし、突起ピッチ（延設突起のスパイラルのピッチ）は、最外層の素線の撚りピッチと同じとした。
【００２２】
風により発生する電線の騒音は、図３に示すように、ある周波数にて大きくなる。この周波数を卓越周波数といい、人間の可聴域にあるため、卓越周波数の騒音レベルの大小により騒音を評価できる。低風音電線は、この卓越周波数時の騒音レベルを低減した電線となる。図３に示す測定結果により、卓越周波数での騒音レベルの低減の程度は、延設突起が１本の試料でも、１０ｄＢ程度も見られるが、延設突起が２本の試料では、２０ｄＢ以上の低減効果が認められるため、延設突起は複数の方が風騒音は低減できる。
【００２３】
また、表１に風速１５ｍ／ｓの環境下の各条件における卓越周波数時の騒音レベルを示す。各条件とは表１に示すように暗騒音、突起なし（突起数０）、突起数１及び突起数２（対角）のそれぞれに関し、突起高さを１．６，２．０，２．５（ｍｍ）、突起ピッチを０．５倍，１．０倍，１．５倍とした組合せ条件である。突起ピッチは、最外層の素線の撚りピッチに対する比である。
表１に示すように突起なし（突起数０）の場合に、騒音レベルは最高値となった。
突起数１の場合では、突起高さが２．０ｍｍ以上の条件で、突起なし（突起数０）に比べて１０ｄＢ以上の騒音レベルの低減効果が認められた。
突起数２の場合では、さらなる低減効果が認められた。
表１にからわかるように、突起高さを２．０ｍｍ以上とすると、突起ピッチに影響されず、１０ｄＢ以上の騒音低減効果が得られる。
【００２４】
【表１】
2016213037.tif 000003
【００２５】
（その他作用効果等）
以上の実施形態によれば、工場にて電線外周面のスパイラル状の延設突起を形成することから、現地施工で延線後に風音対策のスパイラルロッドを宙乗り状態で取り付けるなどの作業は必要なく、スパイラル状の延設突起の現地施工が不要となる。
また、延設突起は最外層の素線と一体化されている。スパイラルロッドのように電線に単体で巻き付けているものの場合、スパイラルロッドが素線切れを起こすと、その部位により撚りが解けやすくなり、電線本体からスパイラルロッドが剥がれて垂れ下がる。以上の実施形態によれば、スパイラル状の延設突起は、どの部位においても最外層のいずれかの素線と一体化されているため、雷撃などでスパイラル状の延設突起が溶断しても、巻き付けたスパイラルロッドに比べて垂れ下がりにくく、短絡事故を防止できる。
【符号の説明】
【００２６】
１Ａ，１Ｂ    低風音型難着雪電線
２     最外層
２Ａ，２Ｂ    延設突起の延設方向
２Ｚ   最外層の素線の撚り方向
３     外周面
２１，２２，２３     素線
２１Ａ，２２Ａ，２３Ａ      突起部
２９，２８，３０，３１，３２       素線
３０Ｂ 突起部
ＳＡ，ＳＢ    延設突起
【図１】
2016213037.tif 000004
【図２】
2016213037.tif 000005
【図３】
2016213037.tif 000006